(57)【要約】【課題】親局のネットワークを最上位とする階層型に設置したネットワークの障害監視においてＡｌａｒｍ情報等の情報量に応じて中継局の伝送路の伝送容量を可変とする。【解決手段】無線区間で構成する中継器Ｃと上位ネットワークの子局Ｂとの間において、機器故障対策のためホットスタンバイ(Ｈｏｔ  Ｓｔａｎｄｂｙ)構成での運用と、データ容量が回線容量を越える場合のための高速データ通信に適応したツインパス(Ｔｗｉｎ  Ｐａｔｈ)構成での運用と、をリアルタイムに切り替え可能に構成する。【選択図】図１
2005244370.tif 000002
【特許請求の範囲】
【請求項１】
階層型に設置された複数のネットワークと、前記複数のネットワークの一番上位のネットワークに接続された親局と、各ネットワークに接続された複数の子局とを備え、親局が子局およびネットワーク回線の障害情報を収集するデータ転送方式であって、分岐するネットワークの基点となる中継局と前記親局の間に中継局の配下の障害の発生頻度に応じて伝送容量を可変とする伝送手段を有することを特徴とするデータ転送方式。
【請求項２】
前記伝送手段は、前記中継局と前記分岐するネットワークの上位のネットワークに接続された子局との間に接続されたことを特徴とする請求項１記載のデータ転送方式。
【請求項３】
前記伝送手段は、障害の発生頻度が高い場合は異なる周波数の２つの無線伝送路によりデータを転送し、障害の発生頻度が低い場合は前記２つの無線伝送路の一方でデータを転送し、他方を予備とするように無線区間の伝送路を自動的に切り替えて回線負荷を調整する無線伝送手段を有することを特徴とする請求項１又は２記載のデータ転送方式。
【請求項４】
前記親局は定時間毎に配下の前記中継局および子局を巡回し障害を監視する親局監視手段を有し、前記中継局は定時間毎に配下の前記ネットワークに接続された子局および中継局を巡回し障害を監視し、前記親局又は中継局からの巡回の監視の受信時に応答として配下の子局および中継局の障害情報を返信する中継局監視手段を有することを特徴とする請求項１、２又は３記載のデータ転送方式。
【請求項５】
前記ネットワークに接続された子局は下位のネットワークにより直列接続された子局を有し、直列接続された子局は親局又は中継器からの前記巡回を後続の子局に中継する機能を有することを特徴とする請求項４記載のデータ転送方式。
【発明の詳細な説明】
【技術分野】
【０００１】
本発明は、階層型に設置したネットワークにおけるデータ転送方式に関し、特に、伝送容量を自動切り替えにより可変としたデータ転送方式に関する。
【背景技術】
【０００２】
従来、親局のネットワークを最上位とする階層型に設置したネットワークにおいて、各ネットワークに接続された子局等の障害を監視するデータ収集方式が知られている（特許文献１参照）。  
図９は、従来の階層型のネットワークのデータ収集方式を示す図である。階層型に設置された複数のネットワークの一番上位のネットワークに接続された親局と、各ネットワークに接続された複数の子局および中継局とからなり、中継局は配下の子局および中継局の障害情報を収集して、上位のネットワークの中継局にデータを転送し、親局は配下の子局と中継局からの障害情報を収集することにより、全子局の障害情報を収集するように構成したものである。
【０００３】
【特許文献１】特開２００３−８６００号公報
【発明の開示】
【発明が解決しようとする課題】
【０００４】
従来、親局のネットワークを最上位とする階層型に設置したネットワークを監視するシステムにおいては、全局からの情報収集時に配下のネットワークをまとめる中継局に情報が集中し、その親局側へのデータ量が伝送容量を越えた場合にデータを転送するのに回線負荷による遅延が発生し、データが喪失（損失）するという点で問題があった。特に、中継局の親局側との通信を無線区間で構成する場合には、有線（ＬＡＮ）で構成する場合に比べて、当該箇所での伝送速度が低下する等、伝送容量の限界により回線負荷が大きくデータ損失のおそれが高まる。一方、中継器での情報の集中時の必要な伝送容量を確保するように伝送機器を構成すると、親局側へのデータ量がデータ転送遅延および損失が発生しない程度の場合には過剰な設備構成となるという問題がある。
【０００５】
本発明の目的は、親局のネットワークを最上位とする階層型に設置したネットワークの障害監視においてＡｌａｒｍ情報等、障害情報の情報量に応じて中継局の伝送路の伝送容量を可変とするデータ転送方式を提供することにある。
【０００６】
本発明の他の目的は、無線区間で構成する中継器と上位ネットワークの子局との間の伝送区間において、情報集中対策と無線機器等の障害対策とを実現可能とするデータ転送方式を提供することにある。
【０００７】
本発明の他の目的は、情報集中が予想される中継器と上位ネットワークの子局との間において、機器故障対策のためホットスタンバイ構成での運用と、データ容量が回線容量を越える場合のための高速データ通信に適応したツインパス構成での運用とをリアルタイムに切り替え可能に構成したデータ転送方式を提供することにある。
【課題を解決するための手段】
【０００８】
本発明のデータ転送方式は、階層型に設置された複数のネットワークと、各ネットワークに接続された複数の子局と、一番上位のネットワークに接続された親局とを備え、親局が子局およびネットワーク回線の状態の情報を収集するデータ転送方式であり、分岐するネットワークの基点となる中継局と親局の間を伝送容量を可変とする伝送容量可変システムとして構成する。
【０００９】
親局は配下のネットワークに接続された中継局および子局を定時間毎に巡回して監視する第１の監視手段を有し、前記中継局は配下のネットワークに接続された中継局および子局を定時間毎に巡回して監視する第２の監視手段と、前記第１または第２の監視手段による監視の巡回の受信時に、巡回に対する応答としてＡｌａｒｍ情報等を返信する返信手段を有することを特徴とする。
【００１０】
また親局および中継局の間の各無線区間の通信について、前記配下の子局からのＡｌａｒｍ発生頻度に応じて伝送容量を自動的に切り替えて回線負荷を調整する機能を有し、Ａｌａｒｍ多発時には無線機の周波数の異なる２機からそれぞれ無線対向局にデータを伝送する第１の伝送手段を有し、Ａｌａｒｍ発生頻度が低い場合は１機のみで無線対向局にデータを伝送し、残りの１機を運用機の予備として常備しておく第２の伝送手段を有することを特徴とする。分岐するネットワークの基点となる中継局では、配下のネットワークの障害発生頻度が増加した場合に、トラフィックの集中による回線負荷が増加し、親局側の無線区間で伝送容量を越えたデータを転送することにより回線負荷による遅延が発生してデータが損失するのを防止する。
【００１１】
本発明のデータ転送方式は、階層型に設置された複数のネットワークと、前記複数のネットワークの一番上位のネットワークに接続された親局と、各ネットワークに接続された複数の子局とを備え、親局が子局およびネットワーク回線の障害情報を収集するデータ転送方式であって、分岐するネットワークの基点となる中継局と前記親局の間に中継局の配下の障害の発生頻度に応じて伝送容量を可変とする伝送手段（前記第１、第２の伝送手段）を有することを特徴とする。また、前記伝送手段は、前記中継局と前記分岐するネットワークの上位のネットワークに接続された子局との間に接続されたことを特徴とし、障害の発生頻度が高い場合は異なる周波数の２つの無線伝送路によりデータを転送し、障害の発生頻度が低い場合は前記２つの無線伝送路の一方でデータを転送し、他方を予備とするように無線区間の伝送路を自動的に切り替えて回線負荷を調整する無線伝送手段を有することを特徴とする。
【００１２】
また、本発明の前記親局は定時間毎に配下の前記中継局および子局を巡回し障害を監視する親局監視手段（図４のＡ１２）を有し、前記中継局は定時間毎に配下の前記ネットワークに接続された子局および中継局を巡回し障害を監視し、前記親局又は中継局からの巡回の監視の受信時に応答として配下の子局および中継局の障害情報を返信する中継局監視手段（図２のＣ１４）を有することを特徴とする。また、前記ネットワークに接続された子局は下位のネットワークにより直列接続された子局を有し、直列接続された子局は親局又は中継器からの前記巡回を後続の子局に中継する機能を有することを特徴とする。
【発明の効果】
【００１３】
本発明によれば、親局を最上位のネットワークに有し、各ネットワークに複数の子局とを備える階層型ネットワークにおいて、分岐するネットワークの基点となる中継局と親局の間の伝送区間に、中継局配下の障害の発生頻度に応じて伝送容量を可変とする伝送手段を設けたことにより、障害情報の確実な伝送を可能とする。
【００１４】
特に従来、中継局の親局側に無線区間を有する場合は、全局からの情報収集時に配下のネットワークをまとめる中継器にＡｌａｒｍ情報が集中していたが、有線区間ではＬＡＮにより高速通信が保障されていても、伝送速度の遅い無線区間によりスペックが低下していたが、本発明では伝送速度の遅い無線区間にＴｗｉｎ  Ｐａｔｈ伝送を適用することにより、伝送容量を制限しないでデータ転送を行う高速通信を実現することができ、回線負荷による遅延の発生とデータ損失の可能性を限りなく軽減することができる。
【００１５】
また、回線状態が正常（軽負荷）の場合は、伝送容量の増加よりも機器障害用にＨｏｔ  Ｓｔａｎｄｂｙ構成で運用し、データ容量が回線容量を越える場合にＴｗｉｎ  Ｐａｔｈ構成で運用することにより、現在のトラフィックの負荷状態を考慮し、装置内部の自動スイッチ制御にて伝送手段をスムーズに切り替え、回線負荷によるデータ転送遅延およびデータ損失を軽減することを可能とし、従来の障害後に人為的に回線を操作するという事後作業(制御)から自動的な切り替えによる事前制御とすることができ、回線状況に応じたスムーズな切り替えが可能となる。
【発明を実施するための最良の形態】
【００１６】
（構成の説明）
図１は本発明のデータ転送方式のネットワークの構成例を示す図である。本ネットワークは、それぞれの局の装置が階層構造をもつネットワークに接続されており、中継局を挟んだ全ネットワークを管理する装置である親局［Ａ］と、親局［Ａ］に接続された子局［Ｂ］、［Ｄ］と、子局［Ｂ］と無線ネットワークを介して接続され、分岐の基点となりネットワーク間を中継する中継局［Ｃ］と、中継局［Ｃ］と接続された複数の装置である子局［Ｄ］とから構成される。なお、ネットワークの階層に３段の例を示したが配下のネットワーク階層は何段とすることも可能である。また、本ネットワークにおいては、子局と親局間又は子局間での情報通信を可能とするものであるが、以下ネットワークの障害情報の収集に関して構成を詳細に説明する。
【００１７】
以下、各局の構成および機能について、中継器［Ｃ］、子局［Ｂ］、親局［Ａ］および子局［Ｄ］の順に説明する。  
図２は、本実施の形態の中継局［Ｃ］の内部構成を示す図である。中継局［Ｃ］は、図示していないＣＰＵ（中央処理装置）によってプログラム制御で動作する制御部Ｃ１と、情報の読み出しおよび書き込みが可能な管理部Ｃ２と、無線および有線ＬＡＮでなるネットワークを介して他局とのデータのやり取りを行うそれぞれ親局側送受信部Ｃ３および子局側送受信部Ｃ４とから構成される。
【００１８】
管理部Ｃ２には、配下の全子局のアドレスを管理する全子局管理テーブルＣ２１、回線断、局内装置の異常等、障害を監視する巡回調査に対する配下の全子局からの応答情報の内、障害の数等の情報を管理する子局情報テーブルＣ２２、および配下の全子局からの前記応答情報である回路断、装置異常、Ａｌａｒｍ情報等の障害情報を親局側に渡すまで一時的に保存する子局情報バッファＣ２３が割り当てられている。
【００１９】
制御部Ｃ１には、中継局［Ｃ］独自に配下の子局［Ｄ］の障害の前記巡回調査用のメッセージ（巡回調査メッセージ）を子局側に所定時間間隔等で送信する制御を行うとともに、親局側からの巡回調査メッセージを受信して自局を含む子局側の障害情報の返信する制御を行う中継局監視部Ｃ１４、該中継局監視部Ｃ１４からの巡回調査メッセージを子局［Ｄ］側へ送信し、子局側からの巡回調査メッセージに対する応答情報を受信する子局制御部Ｃ１１、親局側送受信部Ｃ３内の伝送手段の切り替えを制御するとともに、自局および配下の子局側の障害情報を親局側へ渡す親局制御部Ｃ１２、および子局側のＡｌａｒｍ頻度に応じて親局制御部Ｃ１２に対し前記伝送手段の切り替えの制御を指示し親局制御部Ｃ１２に対して前記応答情報の送信を制御する伝送手段切替部Ｃ１３から構成される。
【００２０】
伝送手段切替部Ｃ１３は子局情報テーブルＣ２２、子局情報バッファＣ２３にアクセスして障害数を把握するとともに、親局側に送信すべきデータ量等から無線回線の負荷状態を把握し、伝送手段の伝送構成を決定しその切り替え制御を親局制御部Ｃ１２にタイムリーに指示し、子局情報バッファＣ２３に保存されているＡｌａｒｍ情報等の障害情報を読み出し親局制御部Ｃ１２に出力する。親局制御部Ｃ１２は伝送手段切替部Ｃ１３の指示にしたがって伝送手段を制御するとともに親局送受信部Ｃ３へ障害情報を出力する。
【００２１】
親局側送受信部Ｃ３は無線ネットワークとの接続部であり、前記伝送手段として２台のアンテナによりそれぞれのデータを並列に出力するツインパス・インターフェース(Twin Path Interface(No.1/No.2))と、１台のアンテナを運用アンテナとしてデータを出力し、もう１台を運用アンテナの予備アンテナとして待機させておくホットスタンバイ・インターフェース(Hot Standby Interface)とが割り当てられており、Ｔｗｉｎ  Ｐａｔｈ伝送はＨｏｔ  Ｓｔａｎｄｂｙ伝送の２倍の容量のデータを送信可能であり、指示された伝送構成により障害情報を無線対向局である子局［Ｂ］に送信する。
【００２２】
図３は中継局［Ｃ］と無線ネットワークで接続された子局［Ｂ］の構成を示す図である。子局［Ｂ］の構成は、中継器［Ｃ］と同様の構成でなり、中継器側の無線ネットワークと接続する切り替え可能な伝送手段を有する中継器側送受信部Ｂ４と親局側の有線ネットワークと接続する親局側送受信部Ｂ３と制御部Ｂ１および管理部Ｂ２で構成される。また、管理部Ｂ２は、親局を含むアドレスを管理する子局情報テーブルＢ２１、中継局から受信した障害数等を保存する子局管理テーブルＢ２２、中継局から受信したＡｌａｒｍ情報等とともに自局の障害時の同様の情報を保存する子局情報バッファＢ２３を有する。制御部Ｂ１は、中継局側との情報の送受を制御する中継局制御部Ｂ１１、親局側との情報を送受する親局制御部Ｂ１２及び伝送手段切替部Ｂ１４を有するとともに、親局からの巡回調査メッセージに対し、自局に関する障害の情報を子局情報バッファＢ２３から読み出して親局に送信する制御を行う監視応答部Ｂ１４を有する。また、親局からの巡回調査メッセージは親局制御部Ｂ１２と中継局制御部Ｂ１１の間で中継局側に転送する機能を有する。なお、伝送手段切替部Ｂ１３は中継器［Ｃ］からの切り替え情報により中継局側送受信部Ｂ４の伝送手段を切り替える制御を行う。
【００２３】
図４は有線ネットワークと接続された親局［Ａ］の構成を示す図である。親局［Ａ］の構成は、制御部Ａ１、管理部Ａ２及び子局側送受信部Ａ３からなる。制御部Ａ１は配下の子局に対する送受信を制御する子局制御部Ａ１１及び中継器より下位の子局を除く子局及び中継局に対し巡回調査メッセージを送信して、全子局及び中継局から応答情報を受信する制御を行う監視部Ａ１２からなり、管理部Ａ２は全ての子局のアドレス情報を管理する全子局管理テーブルＡ２１、子局制御部Ａ１１で受信した、中継局［Ｃ］で独自に収集した子局からの応答情報を含む全子局から障害数等を保存する子局情報テーブルＡ２２及び同Ａｌａｒｍ情報等、障害情報を保存する子局情報バッファＡ２３を有する。
【００２４】
図５は末端の子局［Ｄ］の構成を示す図である。子局［Ｄ］の構成は、中継（親）側送受信部Ｄ３、制御部Ｄ１及び管理部Ｄ２から構成される。管理部Ｄ２は中継局（親局）のアドレスを含む子局のアドレスを保存する子局情報テーブルＤ２１に加え、自局の障害数及びＡｌａｒｍ情報等を保存するそれぞれ子局管理テーブルＤ２２及び子局情報バッファＤ２３を有する。また、制御部Ｄ１は中継（親）局側送受信部Ｄ３を介して受信した巡回調査メッセージに対し、中継（親）局制御部Ｄ１１により自局の障害等の情報を子局管理テーブルＤ２２及び子局情報バッファＤ２３から読み出して中継（親）局側送受信部Ｄ３を介して送信する制御を行う監視応答部Ｄ１２を有する。
【００２５】
（動作の説明）
本実施の形態の動作を図１〜図５を参照して詳細に説明する。  
親局［Ａ］は監視部Ａ１２の動作により配下のネットワークの装置に対して、ネットワークの回線断や装置障害の検出のため、所定時間毎等に定期的な巡回調査メッセージを送信する。配下の装置はその応答として回線断や装置障害のＡｌａｒｍ情報を親局［Ａ］に向けて送信する。ここで中継局［Ｃ］は大規模なネットワーク構成において準親局の役割を果たし、階層構造の複数ネットワークのＡｌａｒｍ情報等を取りまとめる中継機能を果たしおり、巡回調査メッセージへの応答として下位のネットワーク及び該ネットワークの装置の情報を親局［Ａ］へ送信する。
【００２６】
中継局［Ｃ］は運用直後、伝送手段切替部Ｃ１３の制御により親局側送受信部Ｃ３の伝送手段による親局側の無線区間に互いに異なる周波数を使用する２つの無線伝送路を形成し、その１つの無線伝送路を運用、他の無線伝送路を予備とするＨｏｔ  Ｓｔａｎｄｂｙ伝送で通信する。また、中継局［Ｃ］は配下の階層ネットワークの子局［Ｄ］から装置障害Ａｌａｒｍが送信されると、中継局［Ｃ］は前記装置障害等のＡｌａｒｍを子局側送受信部Ｃ４で受信し、子局制御部Ｃ１１を経由して一時的に子局情報バッファＣ２３にＡｌａｒｍ情報として保存する。また同時に子局情報テーブルＣ２２を当該子局［Ｄ］がＡｌａｒｍである旨、更新する等の動作により障害数等を保存する。
【００２７】
また、中継局［Ｃ］は親局［Ａ］側からの巡回調査メッセージを受信すると、伝送手段切替部Ｃ１３は子局情報バッファＣ２３にアクセスして、中継局［Ｃ］の子局情報バッファＣ２３の残り容量と、親局側の回線容量等の負荷状況とを照らし合わせて、親局側の無線区間の回線容量、負荷状況に比べて伝送するＡｌａｒｍ情報が過大であるか否かに応じて、それぞれＨｏｔ  Ｓｔａｎｄｂｙ伝送から２つの無線伝送路の何れをも運用の動作を行うＴｗｉｎ  Ｐａｔｈ伝送に切り替えて運用するか、又はＨｏｔ  Ｓｔａｎｄｂｙ伝送のままで運用するかの何れかを親局制御部Ｃ１２に対して指示する。同時に子局情報バッファＣ２３からＡｌａｒｍ情報等の障害情報を読み出して親局制御部Ｃ１２に出力する。
【００２８】
親局制御部Ｃ１２は伝送手段切替部Ｃ１３からの障害情報をその指示通りの伝送方法で親局に送信するように、親局側送受信部Ｃ３の送信手段を切り替えそれぞれ各Ｉｎｔｅｒｆａｃｅに障害情報のデータを受け渡し、親局側送受信部Ｃ３は指示された伝送方法で無線区間を介してデータを子局［Ｂ］に送信する。
【００２９】
図６は中継局の親局側と無線対向局の間の構成を示す図である。Ｔｗｉｎ  Ｐａｔｈ伝送の場合、Twin Path Interface No.1から送信したデータは無線対向局のTwin Path Interface No.1で受信され、Twin Path Interface No.2から送信したデータは無線対向局のTwin Path Interface No.2で受信される。Ｈｏｔ  Ｓｔａｎｄｂｙ伝送の場合、伝送手段切替部Ｃ１３で決められた一方のアンテナ（Ｎｏ．１又はＮｏ．２）が運用アンテナとなり、残りのアンテナは予備アンテナとなる。
【００３０】
例えば、中継局［Ｃ］の配下の下位ネットワークの複数の子局［Ｄ］の装置等の障害Ａｌａｒｍが多発しており、多数のＡｌａｒｍ情報が中継局［Ｃ］に送信されると、中継局［Ｃ］は多数のＡｌａｒｍ情報等により子局情報テーブルＣ２２及び子局情報バッファＣ２３のデータ量が増大する。伝送手段切替部Ｃ１３は子局情報バッファＣ２３にアクセスして、中継局［Ｃ］の子局情報バッファＣ２３の残り容量が少なく、親局側の回線負荷状況によりＨｏｔ  Ｓｔａｎｄｂｙ伝送をこのまま継続すると子局情報バッファＣ２３が溢れ、データ損失を引き起こすと判断すると、親局制御部Ｃ１２に対してＴｗｉｎ  Ｐａｔｈ伝送に切り替えるよう指示する。また、伝送手段切替部Ａ１３は、中継局［Ｃ］の配下の階層ネットワークの子局装置［Ｄ］からのＡｌａｒｍの発生が収まり、子局情報バッファＣ２３の容量に十分な空きができると、親局制御部Ｃ１２にＴｗｉｎ  Ｐａｔｈ伝送からＨｏｔ  Ｓｔａｎｄｂｙ伝送の構成に切り替えるよう指示する。以上により回線状況に応じたスムーズな切り替えを可能とする。
【００３１】
（他の実施の形態）
以上の実施の形態では、ネットワーク間に中継局を１つ設けた例を示したが、各ネットワークの子局に同様の中継局を介してより大規模な階層型ネットワークを構成することが可能である。また、子局には更に子局を接続したネットワークを構成することができる。
【００３２】
図７は、子局に子局を直列接続したネットワーク構成の実施の形態を示す図である。子局［Ｅ］は上位のネットワークを有線のインターフェースとし、下位のネットワークを無線インターフェースとし、子局［Ｆ］は上位のネットワークを無線インターフェースとし、下位のネットワーク側を有線のインターフェースとして、無線区間を介して直列接続した構成例を示している。
【００３３】
ここで中継局［Ｃ］は各子局のアドレスを使用して巡回調査メッセージを送出し、直列接続された子局［Ｅ］−［Ｆ］−［Ｅ］は、それぞれ巡回調査メッセージを制御部において中継して下位に転送する機能を有し、各子局［Ｅ］〜［Ｄ］は自己宛の巡回調査メッセージに対する応答をそれぞれ返信するとともに、下位の子局からの応答は制御部において中継して中継局［Ｃ］側に転送する機能を有する。直列接続の装置間において、Ａｌａｒｍ情報を早期に検出し、復旧を図ることを可能とする。
【００３４】
図８は、親局から複数の子局を介して中継局を接続したネットワーク構成の実施の形態を示す図である。子局［Ｇ］は親局側にＴｗｉｎ  Ｐａｔｈ伝送からＨｏｔ  Ｓｔａｎｄｂｙ伝送に切り替え可能なインターフェースを有する伝送手段と、中継局側の子局との有線のインターフェースを有する構成を採用し、子局「Ｇ」、「Ｂ」は巡回調査メッセージ及び応答の中継機能を有するように構成することにより、親局［Ａ］と中継局［Ｃ］の間で可変伝送容量のデータ転送が可能となる。
【００３５】
以上の実施の形態に加えて、中継局にアンテナを４台実装し、本発明のＴｗｉｎ  Ｐａｔｈ伝送からＨｏｔ  Ｓｔａｎｄｂｙ伝送の構成に切り替え可能なインターフェースを２セット用意した伝送手段とすることにより、普段はＨｏｔ  Ｓｔａｎｄｂｙ伝送を２セットで運用するように構成でき、この場合じゃ従来のＨｏｔ  Ｓｔａｎｄｂｙ伝送の場合に対し最大で４倍の伝送容量を確保することができる。
【図面の簡単な説明】
【００３６】
【図１】本発明のデータ転送方式の階層型ネットワークの構成例を示す図である。
【図２】本実施の形態の中継局［Ｃ］の内部構成を示す図である。
【図３】中継局［Ｃ］と無線ネットワークで接続された子局［Ｂ］の構成を示す図である。
【図４】有線ネットワークと接続された親局［Ａ］の構成を示す図である。
【図５】末端の子局［Ｄ］の構成を示す図である。
【図６】中継局の親局側とその無線対向局の間の構成を示す図である。
【図７】子局を直列接続したネットワーク構成の実施の形態を示す図である。
【図８】親局から複数の子局を介して中継局を接続したネットワーク構成の実施の形態を示す図である。
【図９】従来のネットワークのデータ収集方式を示す図である。
【符号の説明】
【００３７】
Ａ  親局
Ａ１〜Ｄ１  制御部
Ａ２〜Ｄ２  管理部
Ｂ、Ｅ、Ｆ、Ｄ  子局
Ｃ  中継局
Ｎｏ．1、Ｎｏ．２  ツインパス（Ｔｗｉｎ  Ｐａｔｈ）
Ｎｏ．３  ホットスタンバイ（Ｈｏｔ  Ｓｔａｎｄｂｙ）
【図１】
2005244370.tif 000003
【図２】
2005244370.tif 000004
【図３】
2005244370.tif 000005
【図４】
2005244370.tif 000006
【図５】
2005244370.tif 000007
【図６】
2005244370.tif 000008
【図７】
2005244370.tif 000009
【図８】
2005244370.tif 000010
【図９】
2005244370.tif 000011